(57)【要約】【課題】紙葉類や棒金以外の硬貨を収納することと、このような紙葉類や棒金以外の硬貨の金種および枚数を確実に管理すること。【解決手段】釣銭機システムは、紙葉類または硬貨を処理する釣銭機５０，５５と、棒金を収納する棒金収納部５と、紙葉類または棒金以外の硬貨を収納する補助収納部１０とを有する補助保管装置１と、を備えている。釣銭機５０，５５は、補助保管装置１内に収納されていた紙葉類の種類または棒金以外の硬貨の金種を識別するとともに計数する機外媒体認識モードに、切換可能となっている。【選択図】図３
2009238150.tif 000002
【特許請求の範囲】
【請求項１】
紙葉類または硬貨を処理する釣銭機と、
棒金を収納する棒金収納部と、紙葉類または棒金以外の硬貨を収納する補助収納部とを有する補助保管装置と、を備え、
前記釣銭機は、前記補助保管装置内に収納されていた紙葉類の種類または棒金以外の硬貨の金種を識別するとともに計数する機外媒体認識モードに、切換可能となっていることを特徴とする釣銭機システム。
【請求項２】
前記釣銭機は、前記機外媒体認識モードで識別するとともに計数した紙葉類または硬貨を、該釣銭機内に収納することを特徴とする請求項１に記載の釣銭機システム。
【請求項３】
前記釣銭機は、前記機外媒体認識モードで識別するとともに計数した紙葉類または硬貨を、返却することを特徴とする請求項１に記載の釣銭機システム。
【請求項４】
前記釣銭機は、外部装置と通信可能であり、
当該釣銭機は、該釣銭機内の紙幣または硬貨の金種および枚数と、前記機外媒体認識モードで識別した紙葉類の種類または硬貨の金種および計数した紙葉類または硬貨の枚数とを区別して、前記外部装置に送信することを特徴とする請求項１に記載の釣銭機システム。
【請求項５】
前記補助保管装置は、前記棒金収納部内に収納された棒金の金種を識別するとともに棒金の数を計数する棒金識別計数機構をさらに有し、
前記棒金識別計数機構によって識別された棒金の金種および計数された棒金の数は、前記釣銭機内の紙幣または硬貨の金種および枚数、並びに、前記機外媒体認識モードで識別された紙葉類の種類または硬貨の金種および計数された紙葉類または硬貨の枚数と区別されて、前記外部装置に送信されることを特徴とする請求項４に記載の釣銭機システム。
【請求項６】
前記釣銭機は、手入力によって、紙葉類の種類または硬貨の金種、および、紙葉類または硬貨の枚数が入力可能となることを特徴とする請求項１に記載の釣銭機システム。
【請求項７】
前記機外媒体認識モードは、紙幣または硬貨の金種を識別するとともに計数する機外貨幣認識モードからなり、
前記釣銭機は、手入力によって、紙幣以外の紙葉類の種類および枚数が入力可能となることを特徴とする請求項１に記載の釣銭機システム。
【請求項８】
前記機外媒体認識モードにおける前記釣銭機の紙幣または硬貨を識別する判別レベルは、通常の処理時における該釣銭機の紙幣または硬貨を識別する判別レベルよりも、低くなっていることを特徴とする請求項１に記載の釣銭機システム。
【発明の詳細な説明】
【技術分野】
【０００１】
本発明は、紙幣または硬貨を処理する釣銭機と、棒金を収納して保管する補助保管装置と、を備えた釣銭機システムに関する。
【背景技術】
【０００２】
従来、収納庫本体と、この収納庫本体に対して引出し自在に設けられ、特定金種の棒金硬貨をそれぞれ１本ずつ収納可能な複数の棒金収納部が設けられた棒金ドロアと、この棒金ドロアの棒金収納部ごとに棒金硬貨の有無を検知する棒金有無検知手段と、この有無検知手段による検知結果を硬貨釣銭機へ送信する検知結果送信手段と、を備えた棒金収納庫が知られている（特許文献１参照）。
【特許文献１】特開２００６−８５３３２
【発明の開示】
【発明が解決しようとする課題】
【０００３】
しかしながら、従来の棒金収納庫には、棒金のみを収納するスペースしかなく、棒金以外のものを収納するスペースがなかった。
【０００４】
本発明は、このような点を考慮してなされたものであり、紙葉類や棒金以外の硬貨を収納することができるとともに、このような紙葉類や棒金以外の硬貨の金種および枚数を確実に管理することができる釣銭機システムを提供することを目的とする。
【課題を解決するための手段】
【０００５】
本発明による釣銭機システムは、
紙葉類または硬貨を処理する釣銭機と、
棒金を収納する棒金収納部と、紙葉類または棒金以外の硬貨を収納する補助収納部とを有する補助保管装置と、を備え、
前記釣銭機が、前記補助保管装置内に収納されていた紙葉類の種類または棒金以外の硬貨の金種を識別するとともに計数する機外媒体認識モードに、切換可能となっている。
【０００６】
本発明による釣銭機システムにおいて、
前記釣銭機は、前記機外媒体認識モードで識別するとともに計数した紙葉類または硬貨を、該釣銭機内に収納することが好ましい。
【０００７】
本発明による釣銭機システムにおいて、
前記釣銭機は、前記機外媒体認識モードで識別するとともに計数した紙葉類または硬貨を、返却することが好ましい。
【０００８】
本発明による釣銭機システムにおいて、
前記釣銭機は、外部装置と通信可能であり、
当該釣銭機は、該釣銭機内の紙幣または硬貨の金種および枚数と、前記機外媒体認識モードで識別した紙葉類の種類または硬貨の金種および計数した紙葉類または硬貨の枚数とを区別して、前記外部装置に送信することが好ましい。
【０００９】
本発明による釣銭機システムにおいて、
前記補助保管装置は、前記棒金収納部内に収納された棒金の金種を識別するとともに棒金の数を計数する棒金識別計数機構をさらに有し、前記棒金識別計数機構によって識別された棒金の金種および計数された棒金の数は、前記釣銭機内の紙幣または硬貨の金種および枚数、並びに、前記機外媒体認識モードで識別された紙葉類の種類または硬貨の金種および計数された紙葉類または硬貨の枚数と区別されて、前記外部装置に送信されることが好ましい。
【００１０】
本発明による釣銭機システムにおいて、
前記釣銭機は、手入力によって、紙葉類の種類または硬貨の金種、および、紙葉類または硬貨の枚数が入力可能となることが好ましい。
【００１１】
本発明による釣銭機システムにおいて、
前記機外媒体認識モードは、紙幣または硬貨の金種を識別するとともに計数する機外貨幣認識モードからなり、前記釣銭機は、手入力によって、紙幣以外の紙葉類の種類および枚数が入力可能となることが好ましい。
【００１２】
本発明による釣銭機システムにおいて、
前記機外媒体認識モードにおける前記釣銭機の紙幣または硬貨を識別する判別レベルは、通常の処理時における該釣銭機の紙幣または硬貨を識別する判別レベルよりも、低くなっていることが好ましい。
【００１３】
本発明による釣銭機システムにおいて、
前記釣銭機は、前記機外媒体認識モードにおいて、紙幣または棒金以外の硬貨の金種を識別するとともに計数することができ、かつ、紙幣以外の紙葉類の金種などの種類を識別するとともに枚数を計数することができる、ことが好ましい。
【発明の効果】
【００１４】
本発明によれば、棒金以外の収納スペース（補助収納部）を設けたので、紙葉類や棒金以外の硬貨を収納することができる。また、釣銭機が、補助保管装置内に収納されていた紙葉類または棒金以外の硬貨の金種を識別するとともに計数する機外媒体認識モードに、切換可能となっているので、このような紙葉類や棒金以外の硬貨の金種および枚数を確実に管理することができる。
【発明を実施するための形態】
【００１５】
実施の形態
以下、本発明に係る釣銭機システムの実施の形態について、図面を参照して説明する。ここで、図１乃至図６は本発明の実施の形態を示す図である。
【００１６】
図１および図３に示すように、釣銭機システムは、硬貨および紙幣を処理する釣銭機５０，５５と、棒金と、紙葉類および棒金以外の硬貨を収納する補助保管装置１と、を備えている。このうち、補助保管装置１は、収納筐体２と、収納筐体２に対して引き出し自在に設けられる収納ドロア３と、を有している。
【００１７】
また、図２および図３に示すように、収納ドロア３は、棒金を収納する棒金収納部５と、当該棒金収納部５に対して引き出し方向側に配置され、紙葉類および棒金以外の硬貨を収納する補助収納部１０とを有している。
【００１８】
また、図１および図３に示すように、釣銭機５０，５５は、硬貨を処理する硬貨用釣銭機５０と、紙幣を処理する紙幣用釣銭機５５とからなっている。また、図２および図３に示すように、補助収納部１０は、現金以外の紙葉類（現金外紙葉類）を収納する現金外紙葉類収納部１２と、予備紙幣を収納する予備紙幣収納部１１と、予備硬貨を収納する予備硬貨収納部１３と、オーバーフロー硬貨やリジェクト硬貨などを収納する硬貨収納部１６，１７と、を有している。
【００１９】
なお、現金以外の紙葉類（現金外紙葉類）とは、例えば小切手や商品券などのことを意味する。また、オーバーフロー硬貨とは、硬貨用釣銭機５０の収容量が満たされ、処理を継続するため硬貨用釣銭機５５から回収した一部の硬貨のことを意味し、リジェクト硬貨とは、汚損などが原因で硬貨用釣銭機５０において識別することができず、リジェクトされた硬貨のことを意味する。
【００２０】
また、図３に示すように、硬貨用釣銭機５０は、硬貨を受け入れる入金口５１（図１参照）と、入金口５１によって受け入れられた硬貨を機内に繰り入れる繰入機構（図示せず）と、繰入機構によって繰り入れられた硬貨を搬送する硬貨搬送路１０３と、硬貨搬送路１０３に設けられ、硬貨の金種などを識別する識別部１０１とを有している。なお、この識別部１０１には、硬貨制御部Ｃ１が接続され、識別部１０１によって識別された硬貨の金種などが、当該硬貨制御部Ｃ１に送られる。
【００２１】
また、図３に示すように、識別部１０１の下流側には、金種別に硬貨を収納する硬貨収納部１０６が設けられている。なお、この硬貨収納部１０６は、高額な硬貨程、正面側に収納されるように構成されている。すなわち、５００円硬貨を収納する収納部１０６が最も正面側（引き出し方向側）に配置され、１円硬貨を収納する収納部１０６が最も背面側（正面側とは反対側）に配置されている。
【００２２】
また、図３に示すように、硬貨収納部１０６には、硬貨収納部１０６から出金すべき硬貨を繰り出す繰出機構（図示せず）が連結され、この繰出機構には、繰出機構によって繰り出された硬貨を受ける出金口５２（図１参照）が連結されている。また、硬貨搬送路１０３の識別部１０１の下流側であって硬貨収納部１０６と出金口５２の上流側には、硬貨搬送路１０３で搬送された硬貨を硬貨収納部１０６に搬送するか、出金口５２に搬送するかを分ける分岐部１０５が設けられている。
【００２３】
また、図３に示すように、紙幣用釣銭機５５は、紙幣が挿入される入金口５６（図１参照）と、入金口５６によって受け入れられた紙幣を機内に繰り込む繰込ユニット２０２と、繰込ユニット２０２に連結され、繰込ユニット２０２によって繰り込まれた紙幣を搬送する接続搬送路２０３ｂと、接続搬送路２０３ｂに連結され、接続搬送路２０３ｂから搬送された紙幣を搬送する周回搬送路２０３ａと、を有している。なお、この周回搬送路２０３ａは、繰込ユニット２０２によって繰り込まれた紙幣を搬送する場合には反時計回りに当該紙幣を搬送し、後述する収納部２０６内から紙幣を繰り出す場合には時計回りに当該紙幣を搬送する。
【００２４】
また、図３に示すように、周回搬送路２０３ａには、図３に示すように、紙幣の金種などを識別する識別部２０１が設けられ、この識別部２０１には、紙幣制御部Ｃ２が接続されている。また、周回搬送路２０３ａには、接続搬送路２０３ｂを介して収納部２０６が連結されており、この収納部２０６には、識別部２０１による識別結果に基づいて、所定の金種が収納される。
【００２５】
また、図３に示すように、周回搬送路２０３ａには、例えば、収納部２０６内の紙幣を全て、または、売上金相当額だけ回収したい場合などに、収納部２０６から繰り出された紙幣を収納する紙幣回収カセット２０７が、接続搬送路２０３ｂを介して連結されている。なお、識別部２０１で識別された金種の収納部２０６が満杯である場合には、この紙幣は「オーバーフロー紙幣」として、回収カセット２０７に収納される。
【００２６】
また、図３に示すように、周回搬送路２０３ａには、出金時に収納部２０６から繰り出された紙幣が放出される紙幣放出ユニット２０８が、接続搬送路２０３ｂを介して連結されている。また、この紙幣放出ユニット２０８には、紙幣を機外へ放出する出金口５７（図１参照）が設けられている。なお、紙幣放出ユニット２０８は、汚損などにより識別部２０１によって金種を識別することができない紙幣（入金リジェクト紙幣）が放出されるようにもなっている。
【００２７】
また、図３に示すように、周回搬送路２０３ａには、収納部２０６から繰り出された紙幣が、斜行等により識別部２０１によって金種を識別できない場合に、当該紙幣（出金リジェクト紙幣）を収納する出金リジェクト部２０４が連結されている。
【００２８】
また、図３に示すように、補助保管装置１の棒金収納部５の下面にはスリット３１，３２，３３が設けられている。また、図４に示すように、補助保管装置１の収納筐体の上面内方と下面内方には、これらのスリット３１，３２，３３に対応した位置（三箇所）にセンサ２６ａ，２６ｂが設けられている。また、収納ドロア３と収納筐体２との間には、補助保管制御部Ｃ０に接続されたロータリエンコーダ（変位検出手段）２９が設けられており、収納ドロア３の収納筐体２に対する位置を検出することができるようになっている。
【００２９】
そして、これらスリット３１，３２，３３、センサ２６ａ，２６ｂ、ロータリエンコーダ２９および補助保管制御部Ｃ０によって、棒金収納部５内に収納された棒金の金種を識別するとともに棒金の数を計数する棒金識別計数機構が構成されている。すなわち、発光部２６ａから発光された光が受光部２６ｂによって受光されているかという情報と、ロータリエンコーダ２９による収納ドロア３の収納筐体２に対する位置に関する情報とから、補助保管制御部Ｃ０が、棒金収納部５内に棒金が収納されているかということ（棒金の数）と、棒金収納部５内に収納されている棒金の金種を識別することができる。ところで、図４は、本実施の形態による釣銭機システムの補助保管装置１の概略縦断面図である。
【００３０】
また、図３に示すように、硬貨用釣銭機５０の硬貨制御部Ｃ１は補助保管装置１の補助保管制御部Ｃ０に接続され、この補助保管制御部Ｃ０は紙幣用釣銭機５５の紙幣制御部Ｃ２に接続されている。そして、この紙幣制御部Ｃ２は、ＰＯＳレジスタ（外部装置）６０の外部制御部Ｃ３に接続されて通信可能となっている。
【００３１】
図２において、釣銭機５０，５５は、補助保管装置１内に収納されていた紙幣および棒金以外の硬貨の金種を識別するとともに計数する機外貨幣認識モード（機外媒体認識モード）に、切換可能となっている。より具体的には、硬貨用釣銭機５０の硬貨制御部Ｃ１と、紙幣用釣銭機５５の紙幣制御部Ｃ２は、ＰＯＳレジスタ６０の外部制御部Ｃ３からの指示に従って、機外貨幣認識モードに切り換えられる。なお、本願において、貨幣とは、硬貨と紙幣の両方を意味する。
【００３２】
そして、このように硬貨用釣銭機５０の硬貨制御部Ｃ１と紙幣用釣銭機５５の紙幣制御部Ｃ２が機外貨幣認識モードに切り換えられると、硬貨制御部Ｃ１は、硬貨を識別する識別部１０１の判別レベル（正損判別レベルなど）を、通常の処理時における硬貨を識別する識別部１０１の判別レベルよりも低くし、同様に、紙幣制御部Ｃ２は、紙幣を識別する識別部２０１の判別レベルを、通常の処理時における紙幣を識別する識別部２０１の判別レベルよりも低くする。なお、ここで通常の処理時とは、機外貨幣認識モードに切り換えられていないときを意味し、例えば、顧客から受け取った硬貨や紙幣を受け入れて釣銭処理をする状態のことを意味する。
【００３３】
また、図３において、硬貨用釣銭機５０は、機外貨幣認識モードで識別するとともに計数した硬貨を収納部１０６内に収納した後、当該収納部１０６から同じ金種を同じ枚数だけ出金口５２に出金し、同様に、紙幣用釣銭機５５は、機外貨幣認識モードで識別するとともに計数した紙幣を収納部２０６内に収納した後、当該収納部２０６から同じ金種を同じ枚数だけ出金口５７から出金するように構成されている。
【００３４】
また、硬貨用釣銭機５０の硬貨制御部Ｃ１は、硬貨用釣銭機５０内の硬貨の金種および枚数と、機外貨幣認識モードで識別した硬貨の金種および計数した硬貨の枚数とを区別して、補助保管制御部Ｃ０および紙幣制御部Ｃ２を介して、ＰＯＳレジスタ６０の外部制御部Ｃ３に送信するように構成されている（図５参照）。また、紙幣用釣銭機５５の紙幣制御部Ｃ２は、紙幣用釣銭機５５内の紙幣の金種および枚数と、機外貨幣認識モードで識別した紙幣の金種および計数した紙幣の枚数とを区別して、ＰＯＳレジスタ６０の外部制御部Ｃ３に送信するように構成されている（図５参照）。
【００３５】
また、補助保管装置１の補助保管制御部Ｃ０は、識別された棒金の金種および計数された棒金の数を、紙幣制御部Ｃ２を介して、ＰＯＳレジスタ６０の外部制御部Ｃ３に送信するように構成されている（図５参照）。
【００３６】
なお、上述した、硬貨用釣銭機５０内の硬貨の金種および枚数と、機外貨幣認識モードで識別した硬貨の金種および計数した硬貨の枚数と、紙幣用釣銭機５５内の紙幣の金種および枚数と、機外貨幣認識モードで識別した紙幣の金種および計数した紙幣の枚数と、識別された棒金の金種および計数された棒金の数の各々は、互いに区別されて外部制御部Ｃ３に送信される（図５参照）。
【００３７】
また、硬貨用釣銭機５０は、入力部５３からの手入力によって、硬貨の金種および枚数が入力可能となり、紙幣用釣銭機５５は、入力部５８からの手入力によって、紙幣の金種および枚数と、紙幣以外の紙葉類の金種などの種類および枚数が入力可能となっている（図１参照）。
【００３８】
なお、ＰＯＳレジスタ６０は、図３に示すように、ホストコンピュータ７０と通信可能となっており、ホストコンピュータ７０へ信号を送信したり、ホストコンピュータ７０から信号を受信したりする。
【００３９】
次に、このような構成からなる本実施の形態の作用について述べる。
【００４０】
営業終了後などに、まず、補助保管装置１から、予備紙幣や現金以外の紙葉類などの紙葉類と、棒金以外の硬貨が、取り出される。このとき、機外貨幣認識モードに切り換える旨の信号が、ＰＯＳレジスタ６０から、硬貨用釣銭機５０の硬貨制御部Ｃ１と、紙幣釣銭機５５の紙幣制御部Ｃ２に入力される（図３参照）。
【００４１】
次に、棒金以外の硬貨が硬貨用釣銭機５０の入金口５１内に受け入れられる（図１および図３参照）。このようにして受け入れられた硬貨は、硬貨搬送路１０３に設けられた識別部１０１で金種が識別され、分岐部１０５で分岐されて収納部１０６へと搬送される。その後、この収納部１０６から、搬送された硬貨と同じ金種が同じ枚数だけ繰り出され、出金口５２へ放出される（図１および図３参照）。なお、識別部１０１で識別された硬貨の金種と計数された枚数は、補助保管制御部Ｃ０および紙幣制御部Ｃ２を介して、ＰＯＳレジスタ６０の外部制御部Ｃ３へ送信される（図３参照）。
【００４２】
他方、補助保管装置１内に収納されていた予備紙幣は、紙幣用釣銭機５５の入金口５６に受け入れられる（図１および図３参照）。そして、このようにして受け入れられた紙幣は、周回搬送路２０３ａに設けられた識別部２０１で金種が識別され、収納部２０６へと搬送される。その後、この収納部２０６から、搬送されたのと同じ金種が同じ枚数だけ繰り出されて紙幣放出ユニット２０８内に放出され、出金口５７から機外へ放出される（図１および図３参照）。なお、識別部２０１で識別された硬貨の金種と計数された枚数は、ＰＯＳレジスタ６０の外部制御部Ｃ３へ送信される（図３参照）。
【００４３】
このように、本実施の形態によれば、釣銭機５０，５５の機外貨幣認識モードで、補助保管装置１内に収納されていた予備貨幣（棒金以外の硬貨と紙幣）の金種を識別するとともに枚数を計数することができる。このため、補助保管装置１内に収納されていた予備貨幣の金種と枚数を、確実に管理することができる。
【００４４】
なお、機外貨幣認識モードにおいては、硬貨を識別する識別部１０１の判別レベルが、通常の処理時における硬貨を識別する識別部１０１の判別レベルよりも低くなり、同様に、紙幣を識別する識別部２０１の判別レベルが、通常の処理時における紙幣を識別する識別部２０１の判別レベルよりも低くなっている。
【００４５】
このため、通常の処理時で、識別できないとしてリジェクトされた硬貨（リジェクト硬貨）や紙幣（リジェクト紙幣）であっても、識別部１０１，２０１で識別することができるようになる。この結果、補助保管装置１内に収納されていた予備貨幣の金種と枚数を、より確実に管理することができる。
【００４６】
ところで、低い判別レベルでも識別されなかった硬貨は、分岐部１０５で出金口５２へと搬送され（収納部１０６内に収納されることなく）、出金口５２に返却される（リジェクトされる）。また、低い判別レベルでも識別されなかった紙幣は、周回搬送路２０３ａ上を反時計回りで搬送されている途中で止められ、収納部２０６内に収納されることなく、この周回搬送路２０３ａ上を時計回りに搬送されて、出金口５７に返却される（リジェクトされる）。
【００４７】
そして、このようにリジェクトされた硬貨の金種と枚数は、硬貨用釣銭機５０の入力部５３により手入力で入力され、同様に、リジェクトされた紙幣の金種と枚数は、紙幣用釣銭機５５の入力部５８により手入力で入力される（図１参照）。その後、入力部５３，５８で手入力された硬貨および紙幣の金種と枚数は、ＰＯＳレジスタ６０の外部制御部Ｃ３に送られる（図３参照）。このため、補助保管装置１内に収納されていた予備貨幣の金種と枚数を、漏れなく確実に管理することができる。
【００４８】
なお、上記のように、識別することができなかった硬貨と紙幣は、収納部１０６，２０６内に収納されることなくリジェクトされて機外へ放出される。これに対して、識別することができた硬貨および紙幣は、収納部１０６，２０６内に収納され、その後、搬入された硬貨および紙幣と同じ金種が同じ枚数だけ収納部１０６，２０６から繰り出されて機外へ放出される。このため、識別することができなかった硬貨と紙幣は直ぐに機外へ放出されるのに対して、識別することができた硬貨と紙幣は、収納部１０６，２０６内に収納された後に（多少時間を経た後に）機外へ放出される。このため、操作者は、機外へ放出された硬貨および紙幣が、識別することができずリジェクトされたものであるのか、識別することができたものであるのか、を容易に把握することができる。
【００４９】
なお、釣銭機システムは、リジェクトされた場合にその旨を報知したり、識別することができずにリジェクトされた場合と識別することができて機外へ放出された場合とで異なる態様で報知したりしてもよい。このようにすることによって、操作者は、機外へ放出された硬貨および紙幣が、識別することができずリジェクトされたものであるのか、識別することができたものであるのか、をより容易に把握することができる。
【００５０】
また、補助保管装置１内に収納されていた現金以外の紙葉類の種類と枚数も、紙幣用釣銭機５５の入力部５８によって、手入力で入力される（図１参照）。そして、このように入力部５８で手入力された現金以外の紙葉類の種類と枚数は、ＰＯＳレジスタ６０の外部制御部Ｃ３に送られる（図３参照）。このため、補助保管装置１内に収納されていた現金以外の紙葉類の種類と枚数も、ＰＯＳレジスタ６０で管理することができる。
【００５１】
また、補助保管制御部Ｃ０は、発光部２６ａから発光された光が受光部２６ｂによって受光されているかという情報と、ロータリエンコーダ２９による収納ドロア３の収納筐体２に対する位置に関する情報とから、棒金収納部５内の棒金の金種を識別するとともに、当該棒金の数を計数することができる（図４参照）。そして、このようにして得られた棒金収納部５内の棒金の金種と数は、ＰＯＳレジスタ６０の外部制御部Ｃ３に送られる（図３参照）。このため、補助保管装置１内に収納されていた棒金の金種と数も、ＰＯＳレジスタ６０で管理することができる。
【００５２】
また、図５に示すように、硬貨用釣銭機５０内の硬貨の金種および枚数と、機外貨幣認識モードで識別された硬貨の金種および計数された硬貨の枚数と、紙幣用釣銭機５５内の紙幣の金種および枚数と、機外貨幣認識モードで識別された紙幣の金種および計数された紙幣の枚数と、識別された棒金の金種および計数された棒金の数の各々は、区別してＰＯＳレジスタ６０の外部制御部Ｃ３に送信されるので、ＰＯＳレジスタ６０の外部制御部Ｃ３は、これらの情報を別々に管理することができる（図６参照）。
【００５３】
従って、操作者は、硬貨用釣銭機５０内の硬貨の金種および枚数、紙幣用釣銭機５５内の紙幣の金種および枚数、補助保管装置１内の棒金以外の硬貨の金種および枚数、補助保管装置１内の紙幣の金種および枚数、並びに、補助保管装置１内の棒金の金種および数を、容易に把握することができる。
【００５４】
なお、本実施の形態では、図５に示すように、入力部５８から手入力で入力される補助保管装置１内に収納されていた現金以外の紙葉類の種類と枚数も、上述した各々の情報（金種および枚数）と、区別してＰＯＳレジスタ６０の外部制御部Ｃ３に送信される。このため、ＰＯＳレジスタ６０の外部制御部Ｃ３は、現金以外の紙葉類（図６では、現金外で提示）の金種などの種類と枚数も、上述した各々の情報と区別して管理することができる（図６参照）。
【００５５】
ところで、上記では、硬貨用釣銭機５０と紙幣用釣銭機５５が、機外貨幣認識モードで識別するとともに計数した硬貨および紙幣を機内に収納した後、収納部１０６，２０６内へ搬送された硬貨および紙幣と同じ金種を同じ枚数だけ繰り出して、出金口５２，５７へ放出する態様を用いて説明した。
【００５６】
しかしながら、これに限られることなく、硬貨用釣銭機５０が、機外貨幣認識モードで識別するとともに計数した硬貨を、分岐部１０５で分岐して収納部１０６へ収納することなく出金口５２へと搬送してもよいし、紙幣用釣銭機５５が、機外貨幣認識モードで識別するとともに計数した紙幣を、収納部２０６へ収納することなく出金口５７へと搬送してもよいし、硬貨用釣銭機５０と紙幣用釣銭機５５の両方が、機外貨幣認識モードで識別するとともに計数した硬貨と紙幣を、収納部１０６，２０６へ収納することなく出金口５２，５７へと搬送してもよい。
【００５７】
また、硬貨用釣銭機５０が、機外貨幣認識モードで識別するとともに計数した硬貨を収納部１０６に収納した後、この収納部１０６から硬貨を繰り出さなくてもよいし、紙幣用釣銭機５５が、機外貨幣認識モードで識別するとともに計数した紙幣を収納部２０６に収納した後、この収納部２０６から繰り出さなくてもよいし、硬貨用釣銭機５０と紙幣用釣銭機５５の両方が、機外貨幣認識モードで識別するとともに計数した硬貨と紙幣を収納部１０６，２０６に収納した後、この収納部１０６，２０６から繰り出さなくてもよい。
【００５８】
また、上記では、補助保管装置１内に収納されていた現金以外の紙葉類の種類と枚数が、紙幣用釣銭機５５の入力部によって手入力で入力される態様を用いて説明した。しかしながら、これに限られることなく、紙幣用釣銭機５５の識別部２０１として、紙幣以外の紙葉類の額面金額を識別するとともに枚数を計数することができるものを用いてもよい。
【００５９】
このような識別部２０１を用いることによって、紙幣以外の紙葉類の額面金額を自動的に識別することができるようになるので、作業効率を向上させることができるとともに、金額の打ち間違いなどの誤りが発生することも防止することもできる。
【００６０】
ところで、上記では、硬貨用釣銭機５０の硬貨制御部Ｃ１と、紙幣用釣銭機５５の紙幣制御部Ｃ２が、ＰＯＳレジスタ６０の外部制御部Ｃ３からの指示に従って、機外貨幣認識モードに切り換えられる態様を用いて説明した。しかしながら、これに限られることなく、硬貨用釣銭機５０の硬貨制御部Ｃ１が、硬貨用釣銭機５０の入力部５３からの指示に従って機外貨幣認識モードに切り換えられるようになってもよいし、紙幣用釣銭機５５の紙幣制御部Ｃ２が、紙幣用釣銭機５０の入力部５８からの指示に従って機外貨幣認識モードに切り換えられるようになってもよいし、硬貨用釣銭機５０の硬貨制御部Ｃ１と紙幣用釣銭機５５の紙幣制御部Ｃ２の両方が、入力部５３，５８からの指示に従って機外貨幣認識モードに切り換えられるようになってもよい。
【図面の簡単な説明】
【００６１】
【図１】本発明の実施の形態による釣銭機システムを示す斜視図。
【図２】本発明の実施の形態による釣銭機システムの補助保管装置を示す斜視図。
【図３】本発明の実施の形態による釣銭機システムの構成を示す概略図。
【図４】本発明の実施の形態による釣銭機システムの補助保管装置の概略縦断面図。
【図５】本発明の実施の形態による釣銭機システムにおける情報の流れを示す概略図。
【図６】本発明の実施の形態による釣銭機システムにおける情報の管理状態を示す概略図。
【符号の説明】
【００６２】
１      補助保管装置
５      棒金収納部
１０    補助収納部
２６ａ，２６ｂ  センサ
２９    ロータリエンコーダ（変位検出手段）
３１，３２，３３  スリット
５０    硬貨用釣銭機
５３    入力部
５５    紙幣用釣銭機
５８    入力部
６０    ＰＯＳレジスタ（外部装置）
７０    ホストコンピュータ
Ｃ０    補助保管制御部
Ｃ１    硬貨制御部
Ｃ２    紙幣制御部
Ｃ３    外部制御部
【図１】
2009238150.tif 000003
【図２】
2009238150.tif 000004
【図３】
2009238150.tif 000005
【図４】
2009238150.tif 000006
【図５】
2009238150.tif 000007
【図６】
2009238150.tif 000008